(57)【特許請求の範囲】
【請求項１】
第１ケースと第２ケースとをスライド嵌合により重ね合わせ、これら両ケースの内部に遊技の制御を行う制御基板を収納すると共に、両ケースをかしめ部材で封印する遊技機の基板ケースにおいて、
識別情報が記憶されたＩＣタグを内蔵した封印シールが貼り付けられたシール貼付ユニットと、このシール貼付ユニットを内部に収納するためのものであって、前記第１ケースに形成された第１被覆部と、前記第２ケースに形成された第２被覆部とを重ね合わせることにより形成され、一側に前記シール貼付ユニットを挿入するための開口部を有する封印シール被覆部と、を備え、
前記シール貼付ユニットを前記開口部に挿入する方向は、前記第１ケースと前記第２ケースのスライド方向の一方向と一致しており、
前記シール貼付ユニットは、第１貼付部材と第２貼付部材とを重ね合わせて固定した後に、前記第１貼付部材と前記第２貼付部材とに跨って前記封印シールを貼り付けて構成されるものであり、
前記第１被覆部には、前記第１貼付部材を保持する第１保持部が設けられ、
前記第２被覆部には、前記第２貼付部材を保持する第２保持部が設けられ、
前記シール貼付ユニットは、いったん前記封印シール被覆部内に収納されると、前記両ケースが封印された状態では抜き取ることはできない構成となっており、
前記シール貼付ユニットが前記封印シール被覆部内に収納されている状態で前記開口部から露呈している前記封印シールを切断すると共に、前記第１貼付部材と前記第２貼付部材との固定を解除し、さらに、前記かしめ部材を破壊することにより、前記両ケースの封印が開封され、
前記第１ケースと前記第２ケースとは、前記第１貼付部材が前記第１保持部に保持された状態、かつ、前記第２貼付部材が前記第２保持部に保持された状態で互いに分離可能に構成される
ことを特徴とする遊技機の基板ケース。
【請求項２】
請求項１の記載において、
前記第１貼付部材と前記第２貼付部材とはネジで固定されており、
前記封印シールは、前記ネジの頭部を覆い隠すようにして前記シール貼付ユニットに貼り付けられ、
前記封印シール被覆部には、前記ネジの頭部を臨む位置に、前記ネジを緩めるための工具の挿入が可能な大きさの孔が設けられている
ことを特徴とする遊技機の基板ケース。
【請求項３】
請求項１または２の記載において、
前記第２貼付部材には可撓性材料から成る矢尻状先端部を有するフック部材が設けられ、
前記第２保持部には前記フック部材の前記矢尻状先端部と係合するフック受入部が設けられており、
前記フック部材は、その矢尻状先端部が前記シール貼付ユニットを前記開口部から挿入する過程で撓みながら変形して前記フック受入部へ進入し、いったん前記フック受入部に進入すると前記矢尻状先端部が前記フック受入部と係合して、前記シール貼付ユニットが前記開口部から抜き取り不能となる構成から成る
ことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材（かしめ部材）を用いて封印されており、この封印部材の一部を破壊しない限り封印状態を解除できないようになっている。
【０００３】
また、近年では、識別情報が格納されたＩＣタグが付いたＩＣタグ封印シール（封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開封し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明は、第１ケースと第２ケースとをスライド嵌合により重ね合わせ、これら両ケースの内部に遊技の制御を行う制御基板を収納すると共に、両ケースをかしめ部材で封印する遊技機の基板ケースにおいて、識別情報が記憶されたＩＣタグを内蔵した封印シールが貼り付けられたシール貼付ユニットと、このシール貼付ユニットを内部に収納するためのものであって、前記第１ケースに形成された第１被覆部と、前記第２ケースに形成された第２被覆部とを重ね合わせることにより形成され、一側に前記シール貼付ユニットを挿入するための開口部を有する封印シール被覆部と、を備え、前記シール貼付ユニットを前記開口部に挿入する方向は、前記第１ケースと前記第２ケースのスライド方向の一方向と一致しており、前記シール貼付ユニットは、第１貼付部材と第２貼付部材とを重ね合わせて固定した後に、前記第１貼付部材と前記第２貼付部材とに跨って前記封印シールを貼り付けて構成されるものであり、前記第１被覆部には、前記第１貼付部材を保持する第１保持部が設けられ、前記第２被覆部には、前記第２貼付部材を保持する第２保持部が設けられ、前記シール貼付ユニットは、いったん前記封印シール被覆部内に収納されると、前記両ケースが封印された状態では抜き取ることはできない構成となっており、前記シール貼付ユニットが前記封印シール被覆部内に収納されている状態で前記開口部から露呈している前記封印シールを切断すると共に、前記第１貼付部材と前記第２貼付部材との固定を解除し、さらに、前記かしめ部材を破壊することにより、前記両ケースの封印が開封され、前記第１ケースと前記第２ケースとは、前記第１貼付部材が前記第１保持部に保持された状態、かつ、前記第２貼付部材が前記第２保持部に保持された状態で互いに分離可能に構成されることを特徴としている。
【０００８】
本発明では、両ケースの封印を開封するためには、かしめ部材の破壊だけでなく、シール貼付ユニットに貼り付けられている封印シールを切断して、第１貼付部材と第２貼付部材との固定を解除しなければならない。そして、封印シールを切断すると、その封印シールに内蔵されたＩＣタグが破壊されるため、リーダー機を近付けても、ＩＣタグに記憶されている識別情報を読み取ることができない。従って、本発明によれば、かしめ部材の破壊の痕跡を目視確認すれば不正行為の有無を確認できるうえ、両ケースを開封してＲＯＭ交換等の不正行為を行なった場合には必ずＩＣタグが破壊されるため、仮に外観が未開封の如き状態になっていたとしても、リーダー機でＩＣタグの情報を確認すれば、確実に不正に基板ケースが開封されたか否かを発見することができる。
【０００９】
さらに、本発明では、第１貼付部材が第１保持部に保持された状態、かつ、第２貼付部材が第２保持部に保持された状態で、第１ケースと第２ケースとが互いに分離可能に構成されているため、第１ケースと第２ケースとを相対的にスライドさせる際に、第１貼付部材が第１ケースから外れて落下したり、あるいは第２貼付部材が第２ケースから外れて落下したりして、第１、第２貼付部材を後から拾い上げるようなことはない。よって、開封後の第１ケースと第２ケースとの分離作業に手間が掛かることはない。
【００１０】
なお、本発明における「かしめ部材」は、第１ケースと第２ケースとをいったん封印すると、破壊によらなければその封印を解除することができない構成全てを含む概念のものであり、例えば、一方向にしか回転させることができない構造のネジや、いったん所定の位置までねじ込むと、緩める方向に回転させても空回りして取り外すことができない構造のネジなどは、いったん両ケースを封印するとネジを取り外すことができず、破壊によらなければ両ケースの封印を解除することができないから、本発明のかしめ部材に該当する。
【００１１】
また、上記構成において、前記第１貼付部材と前記第２貼付部材とはネジで固定されており、前記封印シールは、前記ネジの頭部を覆い隠すようにして前記シール貼付ユニットに貼り付けられ、前記封印シール被覆部には、前記ネジの頭部を臨む位置に、前記ネジを緩めるための工具の挿入が可能な大きさの孔が設けられている構成とするのが好ましい。
【００１２】
この構成によれば、第１貼付部材と第２貼付部材との固定がネジにより行えるため、当該固定の作業が簡単である。しかも、シール貼付ユニットが封印シール被覆部に収納されると、第１貼付部材と第２貼付部材との固定を解除するためには、孔からドライバ等の工具を挿入して、封印シールの少なくとも一部を破ったり、剥がしたりして、ネジの頭部を露呈させなければならないため、封印シールの使い回しはより一層困難である。
【００１３】
また、上記構成において、前記第２貼付部材には可撓性材料から成る矢尻状先端部を有するフック部材が設けられ、前記第２保持部には前記フック部材の前記矢尻状先端部と係合するフック受入部が設けられており、前記フック部材は、その矢尻状先端部が前記シール貼付ユニットを前記開口部から挿入する過程で撓みながら変形して前記フック受入部へ進入し、いったん前記フック受入部に進入すると前記矢尻状先端部が前記フック受入部と係合して、前記シール貼付ユニットが前記開口部から抜き取り不能となる構成とするのが好ましい。
【００１４】
この構成によれば、シール貼付ユニットを封印シール被覆部に押し込むだけで装着できるため、取り付け作業が簡単である。しかも、第１ケースを第２ケースから分離する際には、フック部材がフック受入部にしっかりと保持されているので、第１ケースをスムーズに第２ケースから分離させることができるといった利点もある。
【図面の簡単な説明】
【００１５】
【図１】本発明の実施の形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施の形態例に係る基板ケースの外観斜視図である。
【図５】図４に示す基板ケースのＸ部拡大図である。
【図６】図４に示す上ケースの正面図である。
【図７】図４に示す下ケースの正面図である。
【図８】図４に示すＩＣタグユニットの詳細と組み立て手順を示す図である。
【図９】本発明の実施の形態例に係る基板ケースを組み立てて封印するまでの手順（その１）を示す図である。
【図１０】本発明の実施の形態例に係る基板ケースを組み立てて封印するまでの手順（その２）を示す図である。
【図１１】本発明の実施の形態例に係る基板ケースを組み立てて封印するまでの手順（その３）を示す図である。
【図１２】本発明の実施の形態例に係る基板ケースを組み立てて封印するまでの手順（その４）を示す図である。
【図１３】本発明の実施の形態例に係る基板ケースの封印を開封して分解するまでの手順（その１）を示す図である。
【図１４】本発明の実施の形態例に係る基板ケースの封印を開封して分解するまでの手順（その２）を示す図である。
【図１５】図１４の状態を正面から見た図である。
【発明を実施するための形態】
【００１６】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１７】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１８】
図３に示すように、このパチンコ機Ｐの背面側には、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１９】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１２０と、このメイン基板１２０を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００２０】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２１】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２２】
次に、本発明の実施の形態例に係る基板ケース１００の詳細な構造について図４〜図８を参照しながら説明すると、基板ケース１００は、矩形箱状の透明な上ケース（第１ケース）１０１と、矩形箱状の透明な下ケース（第２ケース）１３０とを備えている。そして、上ケース１０１と下ケース１３０の内部に収納空間が形成されており、この収納空間にＣＰＵ、ＲＯＭ、ＲＡＭ等が実装された前述のメイン基板１２０が収納されている。
【００２３】
上ケース１０１と下ケース１３０はスライド嵌合によって重ね合わされるようになっており、上ケース１０１の長手方向の一方の側部（図６における右側の側部）には、後述するＩＣタグユニット（シール貼付ユニット）１０５の一部を覆う上側タグカバー（第１被覆部）１１１が形成されている。また、下ケース１３０の同じく長手方向の一方の側部（図６における右側の側部）には、ＩＣタグユニット１０５の一部を覆う下側タグカバー（第２被覆部）１３１が形成されている。そして、上ケース１０１を下ケース１３０に重ね合わせると、上側タグカバー１１１と下側タグカバー１３１とにより封印シールカバー（封印シール被覆部）１０６が形成される。この封印シールカバー１０６は、その内部にＩＣタグユニット１０５を収納するための空間が形成されていると共に、一側には、その空間内へＩＣタグユニット１０５を挿入するための大きな開口部１０９が形成されている。よって、ＩＣタグユニット１０５を開口部１０９から挿入して内部に押し込むと、その内部空間に、ＩＣタグユニット１０５が配置された状態で保持されることとなる。
【００２４】
ＩＣタグユニット１０５は、図８に示すように、上側タグプレート（第１貼付部材）１４０と、下側タグプレート（第２貼付部材）１５０と、これら２つのタグプレート１４０，１５０を固定する皿ネジ（ネジ）１２５と、上側タグプレート１４０と下側タグプレート１５０とに跨って貼り付けられる封印シール１０８とを備えて構成されている。
【００２５】
上側タグプレート１４０は、同図（ａ）に示すように、細長い矩形プレート状を成し、２つの短辺には、それぞれ突条１４１ａ，１４１ｂが設けられている。さらに、上側タグプレート１４０の長手方向の一端側には、皿ネジ１２５を差し込むための取付孔１４２が設けられている。
【００２６】
一方、下側タグプレート１５０は、細長い矩形プレート状を成し、２つの短辺には、それぞれ突条１５１ａ，１５１ｂが設けられていると共に、下側タグプレート１５０の長手方向の一端側には、皿ネジ１２５とネジ締結するための雌ネジ穴１５５が設けられている。さらに、下側タグプレート１５０の略中央部には、長手方向と直交する方向（ＩＣタグユニット１０５の挿入方向）に突出するようにフック部材１５２が設けられている。このフック部材１５２は、可撓性材料からなる２つのフックバー１５３，１５４を有して成るものである。２つのフックバー１５３，１５４は、それぞれ先端に、外方に折り返された矢尻状先端部１５３ａ，１５４ａが形成されている。２つのフックバー１５３，１５４は、下側タグプレート１５０の長手方向に間隔を空けて配置されており、外力を受けると、互いに近接する方向へ変形可能に構成されている。
【００２７】
上側タグプレート１４０と下側タグプレート１５０とを皿ネジ１２５により固定すると、同図（ｂ）に示すように、１つのブロック体の如き形状となり、これら２つのタグプレート１４０，１５０を跨ぐようにして、封印シール１０８が貼り付けられている。そして、同図（ｃ）に示すように、皿ネジ１２５の頭部１２５ａは、封印シール１０８によって覆われている。
【００２８】
なお、この封印シール１０８は裏面に粘着層が形成された矩形状のベースシートを備えた公知のものであり、粘着層には図８（ｂ），（ｃ）に示すように、ＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００２９】
次に、上ケース１０１に形成された上側タグカバー１１１は、長方形状の天板１１２と、この天板１１２の３辺を囲うように設けられた側板１１３ａ，ｂ，ｃとを備えて成り（図６参照）、下ケース１３０に形成された下側タグカバー１３１は、長方形状の底板１３２と、この底板１３２の３辺を囲うように設けられた側板１３３ａ，ｂ，ｃとを備えて成る（図７参照）ものである。そして、上側タグカバー１１１と下側タグカバー１３１とを重ね合わせると、その内部に直方体形状の空間が形成されるようになっている。
【００３０】
また、図５に示すように、上側タグカバー１１１の側板１１３ａおよび側板１１３ｃの端縁部には、それぞれ内方に折れ曲がる保持片（第１保持部）１１４ａ，１１４ｂが設けられている。同様に、下側タグカバー１３１の側板１３３ａおよび側板１３３ｃの端縁部には、それぞれ内方に折れ曲がる保持片（第２保持部）１３４ａ，１３４ｂが設けられている。これら保持片１１４ａ，１１４ｂ，１３４ａ，１３４ｂは、ＩＣタグユニット１０５を封印シールカバー１０６内に保持するためのものであって、具体的には、保持片１１４ａ，１１４ｂがＩＣタグユニット１０５に設けられている突条１４１ａ，１４１ｂ（図８参照）をそれぞれ保持し、保持片１３４ａ，１３４ｂが同ユニット１０５の突条１５１ａ，１５１ｂ（図８参照）をそれぞれ保持している。なお、上側タグカバー１１１の天板１１２には、差込孔（孔）１１７が設けられている。この差込孔１１７の直径は、ドライバ等の工具の挿入が可能な程度の大きさとなっている。
【００３１】
また、下側タグカバー１３１の側板１３３ｂには、図７に示すように、フック受入部１３５が設けられている。フック受入部１３５は、上記したフック部材１５２を受け入れて保持するためのものであり、２つの受入孔１３８ａ，１３８ｂと、フック部材１５２の矢尻状先端部１５３ａ，１５４ａのそれぞれと係合する２つの引っ掛け部１３６，１３７とを備えて構成されている。
【００３２】
２つのフックバー１５３，１５４の先端部を２つの受入孔１３８ａ，１３８ｂにそれぞれ挿入して、フック部材１５２をフック受入部１３５に差し込んでいくと、矢尻状先端部１５３ａ，１５４ａが引っ掛け部１３６，１３７と当接して、フックバー１５３は図７のＦ方向に、フックバー１５４はＧ方向にそれぞれ撓みながら変形していく。そこからさらにフック部材１５２を図７の左方向（ＩＣタグユニットの挿入方向）に差し込むと、矢尻状先端部１５３ａ，１５４ａが引っ掛け部１３６，１３７を乗り越える。矢尻状先端部１５３ａ，１５４ａが引っ掛け部１３６，１３７を乗り越えると、変形していたフックバー１５３は、弾性力により図７のＧ方向へ形を戻し、フックバー１５４は、弾性力により図７のＦ方向に形を戻す。この状態では、下側タグカバー１３１を図７の右方向へ引っ張っても、矢尻状先端部１５３ａ，１５４ａが引っ掛け部１３６，１３７と係合するので、ＩＣタグユニット１０５が図７の右方向へ引き出されることはない。
【００３３】
また、本実施形態では、上ケース１０１の端部（図６の左側端部）に２本のかしめネジ（かしめ部材）１６０ａ，１６０ｂを有するかしめネジユニット１６０が設けられ、下ケース１３０の端部（図７の左側端部）であってかしめユニット１６０と向かい合う位置に、かしめネジ１６０ａ，ｂと締結するかしめネジ締結部１７０が設けられている。かしめネジ締結部１７０には、かしめネジ１６０ａがねじ込まれる第１ネジ締結部１７０ａと、かしめネジ１６０ｂがねじ込まれる第２ネジ締結部１７０ｂとが設けられている。かしめネジ１６０ａ，１６０ｂは、一度かしめネジ締結部１７０とネジ締結されると、破壊を伴わなければそのネジ締結を解除することができないような構成となっており、例えば、ワンウェイネジ等の公知の構成のものが用いられている。なお、本実施形態は、かしめネジが２本設けられていることにより、基板ケース１００の封印を２回行うことができるものである。
【００３４】
次に、上記のように構成された基板ケース１００を組み立てて封印するまでの手順について、図９〜図１２を参照しながら説明する。まず、図９に示すように、上ケース１０１の裏面にメイン基板１２０をビス止めする。次に、図１０に示すように、上ケース１０１を下ケース１３０に対してＢ方向にスライドさせる。上ケース１０１と下ケース１３０とを完全にスライド嵌合させると、図１１の状態となる。この図１１の状態において、かしめネジ１６０ａ，１６０ｂの何れかをかしめネジ締結部１７０にねじ込むことにより、両ケース１０１，１３０を封印する。
【００３５】
次に、図１２に示すように、外面に封印シール１０８が貼り付けられたＩＣタグユニット１０５を、開口部１０９から同図中Ｂ方向へと押し込むようにして装着する。ＩＣタグユニット１０５を封印シールカバー１０６内に完全に押し込むと、フック部材１５２がフック受入部１３５と係合するため、ＩＣタグユニット１０５を開口部１０９から抜き取ることができない。
【００３６】
こうして、両ケース１０１，１３０の封印が完了すると、封印シール１０８は、上ケース１０１の上側タグカバー１１１と下ケース１３０の下側タグカバー１３１とにより保護されており、不正に封印シール１０８を剥がすことは困難である。しかも、かしめネジ１６０ａ，ｂによっても基板ケース１００のかしめ封印がなされているので、一度封印された基板ケース１００を、どこも破壊せずに上ケース１０１と下ケース１３０とに分解するのは不可能である。
【００３７】
なお、封印が完了した状態の基板ケース１００に対して、リーダー機を近付けることにより、封印シール１０８のＩＣタグ１０８ａに記憶されている識別情報をリーダー機で読取ることができる。
【００３８】
続いて、基板ケース１００を開封して両ケース１０１，１３０を分離するまでの手順について、図１３〜図１５を参照しながら説明する。上ケース１０１を下ケース１３０から取り外すためには、まず、基板ケース１００の封印を開封する必要がある。具体的には、図１３に示すように、かしめネジ１６０ａ，ｂのうち、かしめ固定に用いられた方をニッパー等で破壊すると封印が開封される。次に、開口部１０９からカッターで封印シール１０８を同図中Ｃ方向に切断する。なお、上側タグプレート１４０と下側タグプレート１５０との接触面に沿ってカッターを当てると、封印シール１０８の切断が容易である。このとき、ＩＣタグ１０８ａもカッターで破壊されるため、リーダー機を近付けてもＩＣタグ１０８ａに記憶されている識別情報を読み取ることは不可能である。
【００３９】
さらに、上側タグカバー１１１の差込孔１１７からドライバを挿入して、封印シール１０８の上から皿ネジ１２５の頭部１２５ａに突き当てて、皿ネジ１２５を緩める方向（同図中Ｄ方向）に回すと、封印シール１０８が破れて皿ネジ１２５を取り出すことができる。これにより、ＩＣタグユニット１０５の上側タグプレート１４０と下側タグプレート１５０との固定が解除される。なお、不正に差込孔１１７からドライバを挿入して皿ネジ１２５を緩めようとすれば、封印シール１０８の一部が破れてしまうため、その破れた痕跡から、不正に基板ケース１００へアクセスされたことを発見することができる。
【００４０】
次に、図１４および図１５に示すように、下ケース１３０に対して上ケース１０１を同図中Ｅ方向にスライドさせると、上ケース１０１に上側タグプレート１４０が保持された状態で下ケース１３０から分離する。このとき、下ケース１３０のフック受入部１３５には、下側タグプレート１５０のフック部材１５２がしっかりと保持されているので、上ケース１０１がＥ方向にスライドしても、下側タグプレート１５０は下ケース１３０の下側タグカバー１３１に収納されたままである。
【００４１】
また、上側タグカバー１１１に設けられた保持片１１４ａ，１１４ｂによって上側タグプレート１４０が保持されているため、上ケース１０１をスライドさせている間に、上側タグプレート１４０が落下するといった心配はない。同様に、下側タグカバー１３１に設けられた保持片１３４ａ，１３４ｂによって下側タグプレート１５０が保持されているから、上ケース１０１と下ケース１３０との分離の作業中に、下ケース１３０から下側タグプレート１５０が落下することもない。なお、図１４では、かしめネジ１６０ａを切除して開封した様子が示されている。
【００４２】
以上、説明したように、本実施形態では、基板ケース１００の封印を開封して、制御基板１２０のＲＯＭを不正なものと交換しようとした場合、封印シール１０８が必ず切断され、それと共にＩＣタグ１０８ａも破壊されて、リーダー機による識別情報の読み取りができなくなる。よって、不正ＲＯＭに交換した場合には、仮に封印シール１０８を偽造して、外見上は正規なものと区別できないようにしたとしても、リーダー機で識別情報を読み取れば、直ちに不正行為が行われたか否かを発見することができるのである。
【００４３】
しかも、上ケース１０１を下ケース１３０から分離する際に、上側タグプレート１４０は上側タグカバー１１１に、下側タグプレート１５０は下側タグカバー１３１にそれぞれしっかりと保持されているから、分離の作業に手間取ることはない。即ち、上下のタグプレート１４０，１５０は、上下ケース１０１，１３０を分離する動作を妨げないようにして、上下のタグカバー１１１，１３１にそれぞれ保持される構造となっているから、上下ケース１０１，１３０を分離する際には、単に、両ケース１０１，１３０を所定の方向にスライドするだけで足りるのである。
【００４４】
勿論、本実施形態例に係る基板ケース１００では、かしめネジ１６０ａ，１６０ｂが破壊されているか否かによって、開封されたことが目視確認できることは言うまでもない。
【００４５】
なお、本実施形態で用いた封印シール１０８は、下ケース１３０に対して上ケース１０１を図１４のＥ方向に少し力を入れてスライドさせると破れる程度の強度であるため、上記した「基板ケース１００を開封して両ケース１０１，１３０を分離するまでの手順」で説明したような、「開口部１０９からカッターで封印シール１０８を図１３のＣ方向に切断する作業」を省略することもできる。つまり、カッターで封印シール１０８を切断しなくても、上下ケース１０１，１３０をスライド分離させることは可能である。
【００４６】
なお、上記の実施の形態例において、差込孔１１７の周縁に複数の脚部を立設し、前記差込孔１１７を覆う蓋部材をこれら複数の脚部によって支持させるようにしておき、複数の脚部をニッパー等で切断することにより初めて差込孔１１７が露呈する構成としても良い。このようにすると、差込孔１１７へのアクセスがより一層困難となるから、不正防止に効果的である。さらに、複数の脚部が切断されているか否かを目視確認することにより、不正行為を早期に発見できるといった利点もある。
【００４７】
また、上記の実施の形態例では、メイン基板１２０を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【００４８】
また、上記した実施の形態例では、本発明の基板ケース１００をパチンコ機Ｐに取り付けた場合について説明したが、スロットマシン等の他の遊技機についても同様に適用可能であることは言うまでもない。
【符号の説明】
【００４９】
１００  基板ケース
１０１  上ケース（第１ケース）
１０５  ＩＣタグユニット（シール貼付ユニット）
１０６  封印シールカバー（封印シール被覆部）
１０８  封印シール
１０８ａ  ＩＣタグ
１０９  開口部
１１１  上側タグカバー（第１被覆部）
１１４ａ，１１４ｂ  保持片（第１保持部）
１１７  差込孔（孔）
１２５  皿ネジ（ネジ）
１２５ａ  皿ネジの頭部
１３０  下ケース（第２ケース）
１３１  下側タグカバー（第２被覆部）
１３４ａ，１３４ｂ  保持片（第２保持部）
１３５  フック受入部
１４０  上側タグプレート（第１貼付部材）
１４１ａ，１４１ｂ，１５１ａ，１５１ｂ  突条
１５０  下側タグプレート（第２貼付部材）
１５２  フック部材
１５３ａ，１５４ａ  矢尻状先端部
１６０ａ，１６０ｂ  かしめネジ（かしめ部材）
Ｐ  パチンコ機（遊技機）
【図１】
0005755937.tif 000002
【図４】
0005755937.tif 000003
【図５】
0005755937.tif 000004
【図６】
0005755937.tif 000005
【図７】
0005755937.tif 000006
【図８】
0005755937.tif 000007
【図９】
0005755937.tif 000008
【図１０】
0005755937.tif 000009
【図１１】
0005755937.tif 000010
【図１２】
0005755937.tif 000011
【図１３】
0005755937.tif 000012
【図１４】
0005755937.tif 000013
【図１５】
0005755937.tif 000014
【図２】
0005755937.tif 000015
【図３】
0005755937.tif 000016